(57)【要約】      （修正有）【課題】各種の農作業に用いられ、各種サイズの薬液タンクなどを汚しにくくして積載でき、不使用時には全体を薄く且つコンパクトに折り畳める農作業用キャリアを提供する。【解決手段】前枠３、後枠４、左右一対の側枠５からなり、平面視が矩形状の荷台枠２と、荷台枠の上方に位置し、前枠１３、後枠１４、左右一対の側枠１５からなり、平面視が矩形状の荷囲い枠１２と、荷台枠と荷囲い枠の各側枠５，１５の外側に水平に突出した複数の軸ピンｐと、荷台枠の軸ピンに下端の軸受１１が枢支され、且つ荷囲い枠の軸ピンに上端の軸受１１が枢支され、前後方向Ｆ・Ｒに沿って回転可能な複数の旋回枠１０と、荷台枠の左右の側枠５間に幅方向に沿って固定された荷台板６と、荷台板の両端部の外側に配設された左右一対の車輪Ｗと、荷台板の両端から旋回枠の回転軌跡の外側に位置し、且つ各車輪の内側および上側を覆う側片９と上片８とからなる一対の泥除け７と、を含む。【選択図】図１
0003195677.tif 000002
【実用新案登録請求の範囲】
【請求項１】
前枠(３)、後枠(４)、および左右一対の側枠(５)からなり、平面視が矩形状の荷台枠(２)と、
上記荷台枠(２)の上方に位置し、上記同様の前枠(１３)、後枠(１４)、および左右一対の側枠(１５)からなり、平面視が矩形状の荷囲い枠(１２)と、
上記荷台枠(２)および荷囲い枠(１２)の各側枠(５，１５)の外側に水平に突出した複数の軸ピン(ｐ)と、
上記荷台枠(２)の軸ピン(ｐ)に下端の軸受(１１)が枢支され、且つ荷囲い枠(１２)の軸ピン(ｐ)に上端の軸受(１１)が枢支され、前後方向(Ｆ・Ｒ)に沿って回転可能な複数の旋回枠(１０)と、
上記荷台枠(２)における左右一対の側枠(５)間に幅方向に沿って固定された荷台板(６)と、
上記荷台板(６)の両端部の外側に配設された左右一対の車輪(Ｗ)と、
上記荷台板(６)の両端から上記複数の旋回枠(１０)の回転軌跡の外側に位置し、且つ上記一対の車輪(Ｗ)ごとの内側および上側を覆う側片(９)と上片(８)とからなる左右一対の泥除け(７)と、を含む、
ことを特徴とする農作業用キャリア(１)。
【請求項２】
前記荷台枠(２)の前枠(３)には、前後方向(Ｆ・Ｒ)に沿った左右一対の長側枠(２２)と、該一対の長側枠(２２)の先端同士間を連結する掴み枠(２４)とからなる牽引枠(２０)が、上記長側枠(２２)ごとの基端部(２１)に設けた軸受(１６´)、または該長側枠(２２)と基端部(２１)との間に設けた軸受(１６・１７)を介して、上記荷台枠(２)の前枠(３)に連結することで、上下方向および前後方向に沿って回転可能に接続されている、
ことを特徴とする請求項１に記載の農作業用キャリア(１)。
【請求項３】
前記牽引枠(２０)における左右一対の長側枠(２２)の前後方向(Ｆ・Ｒ)の中間には、該一対の長側枠(２２)同士間を接続する水平枠(２６)が固定され、該水平枠(２６)に、前記荷囲い枠(１２)の前枠(１３)に一端部を枢支された係止枠(４０)の他端に設けた係止部(４３)を係止することにより、前記荷台枠(２)と、その上方に位置した上記荷囲い枠(１２)と、前記複数の旋回枠(１０)と、これらに対し斜め姿勢となる上記牽引枠(２０)における左右一対の長側枠(２２)とを互いに位置規制可能としている、
ことを特徴とする請求項１または２に記載の農作業用キャリア(１)。
【請求項４】
前記複数の旋回枠(１０)を垂直姿勢から後側(Ｒ)に回転させ、前記荷囲い枠(１２)と係止枠(４０)とを前記荷台枠(２)の後側(Ｒ)の上方に平行移動し且つ該荷台枠(２)と平行状にして、拡大荷台(Ｎ)を形成すると共に、前記左右一対の泥除け(７)の各縦片(９)を該拡大荷台(Ｎ)の側面荷板となし、且つ上記係止枠(４０)において直立状となった前記係止部(４３)を後面荷板ともする、
ことを特徴とする請求項３に記載の農作業用キャリア(１)。
【考案の詳細な説明】
【技術分野】
【０００１】
本考案は、例えば、消毒、施肥、除草、収穫のような各種の農作業に用いられ、各種サイズの薬液タンクや収納容器などを汚しにくくして積載できると共に、不使用時には全体を薄く且つコンパクトに折り畳める農作業用キャリアに関する。
【背景技術】
【０００２】
出願人は、既に、種々の農作業に用いられ、各種サイズの薬液タンクを積載しつつ移動できる農業用噴霧装置を提案している（例えば、特許文献１参照）。
更に、出願人は、既に、各種サイズの薬液タンクや収納容器などを自在に積載できると共に、不使用時にはコンパクトに折り畳める農作業用運搬車についても提案をしている（例えば、特許文献２参照）。
しかしながら、前記特許文献１の農業用噴霧装置や特許文献２の農業用運搬車では、薬液タンクなどを積載する荷台を移動可能に支持する左右一対の車輪が、前記荷台側にも露出している。そのため、例えば、降雨時や雨天後の畑などのように、水分を含んだ柔らかい畝間の路地上を移動する際、上記車輪によって巻き上げられた土片が前記薬液タンクや収納容器などの下部に付着し易くなる。その結果、上記農業用運搬車などを引っ張る農作業者が牽引すべき重量が増加することによって、農作業社者が比較的早く疲労し易くなると共に、農作業後に上記薬液タンクなどを洗浄する手間も必要となる、という問題があった。
【０００３】
更に、前記特許文献２の農業用運搬車のように、下方枠の前側の各コーナに立設した前側角部支持枠と、上方枠の後側の各コーナに立設した後側角部支持枠とに接触することなく、上記下方枠と上方枠の前枠同士間および後枠同士間を個別に接続する前後一対ずつの傾動枠を、後方側に傾動させるため、係る傾動枠ごとの下端ごとに設けた軸受を、下方枠の前枠および後枠の中間部分に接続している。そのため、上方枠を下方枠の後方側に平行移動させて、横長の収納容器を積載するため、荷台を後側に拡大させる場合や、不使用時に折り畳む際に、上方枠を下方枠の上側に接触させようとしても、後側に傾動する前側の各傾動枠が下方枠の後枠に枢支された後側の傾動枠の軸受に当接したり、あるいは、下方枠の横桟に当接する。その結果、上方枠を下方枠の真上に接触するように薄くして重ねることが困難となるので、不使用時における保管スペースが嵩張らざるを得ない、という問題もあった。
【先行技術文献】
【特許文献】
【０００４】
【特許文献１】実用新案登録第３１６３０７３号公報（第１〜１０頁、図１〜１０）
【特許文献２】実用新案登録第３１８８６８４号公報（第１〜１０頁、図１〜５）
【考案の概要】
【考案が解決しようとする課題】
【０００５】
本考案は、背景技術で説明した問題点を解決し、各種の農作業に用いられ、各種サイズの薬液タンクなどを汚しにくくして積載でき、不使用時には全体を薄く且つコンパクトに折り畳める農作業用キャリアを提供する、ことを課題とする。
【課題を解決するための手段および考案の効果】
【０００６】
本考案は、前記課題を解決するため、荷台を構成する荷台枠と、該荷台枠の上方に位置し且つ当該荷台枠の後側に平行移動可能する荷囲い枠と、を連接する複数の旋回枠を上記荷台枠および荷囲い枠の外側で旋回可能にすると共に、上記荷台枠を移動可能に支持する左右一対の車輪の上側を囲う泥除けを、積荷の側面荷受けにも兼用させる、ことに着想して成されたものである。
即ち、本考案の農作業用キャリア（請求項１）は、前枠、後枠、および左右一対の側枠からなり、平面視が矩形状の荷台枠と、該荷台枠の上方に位置し、上記同様の前枠、後枠、および左右一対の側枠からなり、平面視が矩形状の荷囲い枠と、上記荷台枠および荷囲い枠の各側枠の外側に水平に突出した複数の軸ピンと、上記荷台枠の軸ピンに下端の軸受が枢支され、且つ荷囲い枠の軸ピンに上端の軸受が枢支され、前後方向に沿って回転可能な複数の旋回枠と、上記荷台枠における左右一対の側枠間に幅方向に沿って固定された荷台板と、該荷台板の両端部の外側に配設された左右一対の車輪と、上記荷台板の両端から上記複数の旋回枠の回転軌跡の外側で且つ上記一対の車輪ごとの内側および上側を覆う側片と上片とからなる左右一対の泥除けと、を含む、ことを特徴とする。
【０００７】
これによれば、以下の効果（１）、（２）を奏することが可能となる。
(１)前記荷台枠と荷囲い枠とは、両者の各側枠の外側に突出した複数(例えば、２本)の軸ピンに上端と下端とに設けた軸受を介して、前後方向に沿って回転可能な複数(例えば、４本)の旋回枠によって、互いに前後方向に沿って回転可能となっている。そのため、荷囲い枠を後方で且つ下側に移動させた際、複数の旋回枠は、該荷囲い枠および荷台枠の外側に位置しているので、該荷台枠と荷囲い枠とを直に接触させた状態で折り畳める。その結果、前記拡大荷台を比較的平坦に形成できると共に、前記牽引枠を後方側に回転させて該拡大荷台の上側に接触させることによって、全体の厚みを比較的薄くした格納状態にすることができる。
(２)前記左右一対の泥除けの縦片は、前記荷台枠の上に載置され且つ前記荷囲い枠に上部の周囲を位置規制された比較的縦長の積荷（例えば、農薬液タンク）における側面の下部を両側面側から位置規制する側面荷板を兼ねる。従って、畑などの凹凸がある地面で幅方向に沿って積荷が揺動しても、これを抑制し得る。
【０００８】
尚、前記荷台枠、荷囲い枠、旋回枠、牽引枠、係止枠は、例えば、直径数ｃｍのステンレス鋼管やアルミニウム管などを曲げ加工したものが用いられる。
また、前記軸ピンは、普通鋼、軸受用鋼、あるいは、工具鋼などからなる。
更に、前記荷台枠および荷囲い枠は、平面視において、互いに同様のサイズであるか、互いに相似形の矩形（正方形または長方形）状を呈する。
また、前記泥除けの上片は、平坦な水平板のほか、前記車輪の上部側を覆う側面視で円弧形状あるいは側面視で台形状を呈する形態としても良い。
更に、前記「枢支」とは、回転可能または旋回可能を意味している。
また、前記「幅方向」とは、本農作業用キャリアが前進および後退する前後方向と直交する方向を意味している。
加えて、前記「外側」とは、本農作業用キャリアが前進および後退する前後方向と直交する幅方向で、且つ前記旋回枠の回転軌跡よりも外側を意味している。
【０００９】
また、本考案には、前記荷台枠の前枠には、前後方向に沿った左右一対の長側枠と、該一対の長側枠の先端同士間を連結する掴み枠とからなる牽引枠が、上記長側枠ごとの基端部に設けた軸受、または該長側枠と基端部との間に設けた軸受を介して、上記荷台枠の前枠に連結することで、上下方向および前後方向に沿って回転可能に接続されている、農作業用キャリア（請求項２）も含まれる。
これによれば、例えば、農作業者が、前記牽引枠の掴み枠を片手で掴み、本農作業用キャリアを畑の畝同士間を前方側に引っ張って移動しつつ、残りの片手で噴霧ノズルを操作することによって、前記荷台枠の上に載置され且つ前記荷囲い枠に上部の周囲を囲まれて積載されている薬液タンクから、霧状の農薬液を比較的少ない労力で容易に散布したり、残りの片手で雑草を容易に除草し且つ回収することなどが可能となる（効果（３））。
尚、前記牽引枠の掴み枠を片手で掴み、本農作業用キャリアを後方側に押して後退させつつ、前記農薬の噴霧作業を行うことも可能である。
【００１０】
更に、本考案には、前記牽引枠における左右一対の長側枠の前後方向の中間には、該一対の長側枠同士間を接続する水平枠が固定され、該水平枠に、前記荷囲い枠の前枠に一端部を枢支された係止枠の他端に設けた係止部を係止することにより、前記荷台枠と、その上方に位置した上記荷囲い枠と、前記複数の旋回枠と、これらに対し斜め姿勢となる上記牽引枠における左右一対の長側枠とを互いに位置規制可能としている、農作業用キャリア（請求項３）も含まれる。
これによれば、前記荷囲い枠の前枠に一端部を枢支された前記係止枠の他端に設けた係止部を前記水平枠に係止することで、前記荷台枠、荷囲い枠、複数の旋回枠、および牽引枠を互いに位置規制することができる。従って、上記荷台枠の上方で且つ荷囲い枠に囲まれた全体が直方体形状の積荷スペースを堅固に構成できるので、比較的重い薬液タンクなどの積荷を積載し、牽引枠を掴んで前方側に移動しつつ、農薬散布などの各種の農作業を安定して行える（効果（４））。
尚、前記水平枠には、例えば、前記係止枠の係止部を受け入れる掛止孔を該水平枠との間で形成する角筒体形状の掛止部を固定しても良い。
また、前記牽引枠における一対の長側枠の中間に配置される前記水平枠の付近には、昇降可能で且つ垂直面内で回転可能な支え軸を配置し、該支え軸の下端に方向自在輪を取り付けることで、前記一対の車輪と共に３輪車を構成しても良い。あるいは、上記牽引枠における一対の長側枠の後方側の端部ごとに、一対の補助脚を取り付け、定位置で農作業するや、休憩を取る際に、上記一対の車輪と共に本農昨業用キャリアをほぼ水平状の姿勢に保つことも可能である。
更に、上記支え軸の下端に取り付けた方向自在輪の付近には、接地部分が外側に開いた左右一対の傾斜輪を更に取り付けることによって、前記３輪車として前方側へ移動する際でも、畑の畝間における凹凸の路面上も安定して運搬できる。
【００１１】
加えて、本考案には、前記複数の旋回枠を垂直姿勢から後側に回転させ、前記荷囲い枠と係止枠とを前記荷台枠の後側の上方に平行移動し且つ該荷台枠と平行状にして、拡大荷台を形成すると共に、前記左右一対の泥除けの各縦片を該拡大荷台の側面荷板となし、且つ上記係止枠において直立状となった前記係止部を後面荷板ともする、農作業用キャリア（請求項４）も含まれる。
これによれば、以下の効果（５）、（６）を奏することが可能となる。
(５)前記複数の旋回枠を垂直姿勢から後方側に回転させ、前記荷囲い枠と係止枠とを前記荷台枠の後方側の上方に平行移動し且つ該荷台枠と平行状の姿勢として、前後方向に長い拡大荷台を形成できると共に、係る拡大荷台において、上記係止枠における直立状となった前記係止部を後面荷板に兼用させて活用できる。
(６)上記拡大荷台の状態から、更に前記牽引枠を後方側に回転させて該拡大荷台の上側に接触させることにより、全体の厚みを比較的薄くして格納することができる。この際、前記荷囲い枠の後方側のコーナー付近に、例えば、該荷囲い枠の面内方向に沿って回転可能なロック板を取り付けておくことで、上記格納状態を安定して保つこともできる。
【図面の簡単な説明】
【００１２】
【図１】本考案による一形態の農作業用キャリアを示す斜視図と部分拡大図。
【図２】上記農作業用キャリアの荷台枠と荷受け枠の付近における垂直断面図。
【図３】上記荷台枠と荷受け枠との付近における側面図。
【図４】上記農作業用キャリアによる１つの使用形態を示す側面図。
【図５】上記農作業用キャリアの機能を示す側面図。
【図６】上記機能を含む上記農作業用キャリアの別の使用形態を示す側面図。
【図７】（Ａ），（Ｂ）は上記農作業用キャリアの折り畳み機能を示す側面図。
【図８】細部が異なる形態の上記農作業用キャリアの図４と同様な側面図。
【図９】上記農作業用キャリアの機能を示す側面図。
【図１０】上記農作業用キャリアの別の使用形態を示す側面図。
【図１１】（Ａ），（Ｂ）は上記農作業用キャリアの折り畳み機能を示す側面図。
【考案を実施するための形態】
【００１３】
以下において、本考案を実施するための形態について説明する。
図１は、本考案による一形態の農作業用キャリア１を示す斜視図と部分拡大図、図２は、該キャリア１の荷台枠２と荷受け枠１２の付近における垂直断面図、図３は、係る荷台枠２と荷受け枠１２との付近における側面図である。尚、図１中では、左側を前方側Ｆと称し、右側を後方側Ｒと称すると共に、係る前方側Ｆおよび後方側Ｒは、図３以下の図面においても、図１と整合させている。
上記農作業用キャリア１は、図１〜図３に示すように、平面視が矩形（長方形または正方形）状の荷台枠２および荷囲い枠１２と、これらの側枠５，１５の幅方向（前後方向と直交する方向）における外側に水平に突出した複数の軸ピンｐと、該軸ピンｐに上端および下端に設けた軸受１１を枢支され、且つ図３中の矢印で示す（前方側Ｆおよび）後方側Ｒに沿って回転可能である垂直姿勢の複数の旋回枠１０と、上記荷台枠２の前枠３に接続された基端部２１と、該基端部２１とヒンジ体１６，１７を介して回転可能で且つ前方側Ｆの斜め上方に延びた牽引枠２０と、を備えている。
【００１４】
前記荷台枠２および荷囲い枠１２は、例えば、直径が約１〜２ｃｍのステンレス鋼の棒鋼を曲げ加工したもので、前枠３，１３、後枠４，１４、およびこれらの両端同士を接続する左右一対ずつの側枠５，１５からなる。
図１，図２に示すように、上記荷台枠２の側枠５，５間には、前後一対の荷受桟５ａが幅方向に沿って架設され、これらの中間には、ゴムまたは樹脂製の荷受パッド５ｂが被覆されている。係る一対の荷受桟５ａの間で且つ上記側枠５，５間の下側には、帯状の平板の両端部を折り曲げた荷台板６が幅方向に沿って固定され、該荷台板６の両端に立設する縦板６ａごとには、それぞれ泥除け７の縦片９が固定されている。該泥除け７は、平面視が長方形の上片８と側面視が矩形状の上記縦片９とからなり、該縦片９ごとの外側には、車輪（例えば、ノーパンクタイヤ）Ｗが個別に配設されている。そのため、該車輪Ｗは、上片８および縦片９によって、荷台枠２の上方側に位置する積荷スペースＳから遮蔽されている。
【００１５】
尚、前記左右一対の泥除け７は、後述する薬液タンクＴなどの汚れを防ぐだけでなく、例えば、該薬液タンクＴを背負うためのベルトが前記車輪Ｗに巻き込まれたり、あるいは、擦れたりする事態を防止するためにも効果的である。
また、前記一対の車輪Ｗは、前記荷台板６の下側に幅方向に沿って固定した車軸（図示せず）の両端に軸受を介して回転自在に取り付けても良い。
更に、前記荷受桟５ａは、前記同様のステンレス鋼の棒鋼からなり、前記荷台板６および泥除け７は、例えば、所定のステンレス鋼板を曲げ加工したものである。
また、前記荷台枠２と荷囲い枠１２とに囲まれた直方体状の積荷スペースＳには、例えば、後述する内側に農薬液を充填した薬液タンク（Ｔ）が収納される。
加えて、前記泥除け７は、前記車輪Ｗの上部側を覆う側面視で円弧形状または台形状の上片８を有する形態としても良い。
【００１６】
また、前記牽引枠２０は、図１に示すように、荷台枠２の前枠３に接続した湾曲した基端部２１との間に配置したヒンジ体（軸受）１６・１７を介して回転可能に連結され、該ヒンジ体１６・１７から斜め前方側Ｆ（上方）に延びた左右一対の長側枠２２と、該一対の長側枠２２における前方側Ｆの先端部同士を接続する水平な掴み手枠２４とを備えている。該掴み手枠２４と各長側枠２２との間には、それぞれ水平部２３が位置している。上記掴み手枠２４の周面には、滑り止めとなり且つ合成樹脂製またはゴム製などからなる円筒形状のグリップ２５が巻き付けられている。
前記ヒンジ体１６・１７は、前記一対の長側枠２２の基端同士を固定した箱形状の可動ヒンジ片１６と、前記一対の基端部２１の先端部同士を固定した平板状の固定ヒンジ片１７とからなり、両者間の内側の基端部２１側には、ヒンジ（図示せず）が配置されている。図１，３，４に示すように、固定ヒンジ片１７の上方に可動ヒンジ片１６を被せた状態を保つため、可動ヒンジ片１６における基端部２１側の縦壁には、進退可能な固定ネジ１６ａが貫通し、且つ固定ヒンジ片１７の上面には、該固定ネジ１６ａがネジ結合する雌ネジ孔を有するナット板（図示せず）が立設されている。
尚、一対の前記基端部２１には、それぞれ軸１８が斜め前方Ｆ側に垂下し、該軸１８ごとの下端には、硬質樹脂また硬質ゴムからなる補助脚１９が取り付けられている。該一対の補助脚１９は、後述する方向自在輪４６を引き上げた際に、前記一対の車輪８と共に、本農作業用キャリア１をやや傾けた姿勢で支持することができる。
【００１７】
更に、図１に示すように、前記牽引枠２０における左右一対の長側枠２２間の中間には、水平枠２６が水平状に接続されている。
図１中での一点鎖線の矢印Ｙの視覚により拡大した一点鎖線部分Ｙと共に示すように、水平枠２６は、軸方向の両端部を長側枠２２に固着されている。該水平枠２６の中間の前方側Ｆには、ほぼ垂直姿勢に溶着した平板２９を介してパイプ３３が垂直状に溶着されている。該パイプ３３の内側には、支え軸３５が昇降可能に貫通し、該支え軸３５の軸方向に沿って穿設した複数の小孔３６に、上記パイプ３３を径方向に沿って貫通および進退する摘み付きボルト３４が進入することによって、上記支え軸３５の下方（地面）側の長さを調整可能としている。
尚、上記パイプ３３には水平な枠片２８の中央部が固定され、該枠片２８の両端と前記可動ヒンジ片１６との間には、一対の補強枠２７が接続されている。
【００１８】
図１に示すように、前記支え軸３５の下端は、ピン３５ｐを介して、水平な平板３７の上面に立設した側面視が半円形状の縦板３８に回転可能に接続されている。該縦板３８には、円弧形状の透孔３９が形成され、支え軸３５の下端側を水平に貫通するボルト・ナット４４により、上記支え軸３５と平板３７との連結角度を調整可能としている。また、上記平板３７の底面には、軸受金具４５を介して方向自在輪４６が取り付けられ、該方向自在輪４６は、前記一対の車輪８と共に、本農作業用キャリア１を３輪車タイプにするものである。尚、上記平板３７の後方側Ｒには、正面視で台形状を呈する金具４７が接続され、該金具４７における左右一対の傾斜片４８には、接地部分が外側に開いた左右一対の傾斜輪４９を取り付けられており、これより、前記３輪車として前方側Ｆへ移動する際に、畑の畝間などにおける凹凸の地面上も安定して運搬することが可能となる。
【００１９】
加えて、前記水平枠２６の中間の後方Ｒ側には、角筒体形状の掛止部３０が固着され、その内側にはほぼ縦方向に沿った掛止孔３１が貫通し、該掛止部３０における左右方向の中央部には、水平方向に進退可能する摘み付きボルト（固定手段）３２が貫通している。該ボルト３２の先端部は、掛止孔３１内を進退する。
図１および図１中における一点鎖線の矢印Ｘの視覚により拡大した一点鎖線部分Ｘで示すように、前記係止枠４０は、前記荷囲い枠１２の前枠１３に巻き付けた円筒形状のスリーブ（軸受）４１を介して後方側Ｒの端部を回転可能に連結された左右一対の旋回枠４２と、該一対の旋回枠４２における前方側Ｆの端部同士を接続する正面視でＵ字形状の係止部４３とからなる。該係止部４３は、前記掛止部３０の掛止孔３１内に挿入された状態で、その内側（空間）を上記摘み付きボルト３２の先端側（雄ネジ）が進入することにて、該係止部４３を含む係止枠４０が、掛止部３０および牽引枠２０から不用意に離れないように拘束する。
【００２０】
図４は、前記農作業用キャリア１の一使用形態を示す側面図である。尚、４〜７中の符号ＧＬは、地面（田畑などにおける畝間の路地面を含む）を示している。
図４に示すように、係止枠４０は、その係止部４３が牽引枠２０の中間に設けた掛止部３０に掛け止めされて拘束され、同時に上記牽引枠２０も一定の斜め姿勢で保持されている。図示のように、荷台枠２、荷囲い枠１２、各旋回枠１０に囲まれた内側には、縦長で直方体形状の積荷スペースＳが形成されている。該スペースＳは、前記泥除け７ごとの縦片９によって、幅方向の中央部を更に挟まれている。そのため、例えば、上記積荷スペースＳに縦長の薬液タンクＴなどを納め、片手で牽引枠２０のグリップ２５を前方側に引っ張りつつ、液状の農薬や肥料を残りの片手で噴霧ノズルを操作した場合に、地面ＧＬの凹凸に伴う幅方向の振動を防げるので、比較的少ない労力で田畑などに農薬を噴霧することができる。
尚、前記薬液タンクＴには、噴霧ノズル、該ノズルに農薬液を圧送するポンプを駆動するモータ用のバッテリー、および背負い用ベルトが付設されている。
【００２１】
次に、図５，図６に基づいて、前後方向に沿って長い拡大荷台Ｎを有する形態に変化させる機能について説明する。
先ず、前記掛止部３０の摘み付きボルト３２を後退させて、係止枠４０の係止部４３のロック状態を解除する。次に、図５中の実線の矢印で示すように、係止枠４０における一対の旋回枠４２における後方側Ｒの前記スリーブ４１を回転中心として、片手で当該係止枠４０を後方側Ｒで且つ斜め上方に持ち上げる。
かかる状態で、上側の荷囲い枠１２の適所を残りの片手で掴み、図５中の一点鎖線の矢印で示すように、前後左右一対（合計４つ）の旋回枠１０を、これらの下端に位置する荷台枠２側の各軸受１１を回転中心として回転させることにより、上記荷囲い枠１２を水平姿勢のまま後方側Ｒで且つ斜め下方に平行移動させる。
【００２２】
その結果、図６に示すように、前記荷囲い枠１２は、荷台枠２よりも後方側Ｒで且つ該荷台枠２と平行な水平状の姿勢となる。尚、４つの前記旋回枠１０は、荷台枠２と荷囲い枠１２との外側において僅かに傾斜した水平状の姿勢となる。
更に、図６中の破線で示す前記係止枠４０を、同図中の破線の矢印で示すように、前記スリーブ４１を回転中心として、後方側Ｒで且つ下向きに回転させる。
その結果、図６に示すように、ほぼ同じの水平面付近に位置する荷台枠２および荷囲い枠１２の上方に跨って、平面視が長方形状を呈し且つ前後方向（Ｆ・Ｒ）に沿って長く平坦な拡大荷台Ｎが形成される。かかる拡大荷台Ｎの平面視における両側には、前記泥除け７ごとの縦片９が側面荷板として立設し、且つ上記荷台Ｎの後方側Ｒには、上記係止枠４０の係止部４３が後面荷板として直立するので、これらが上記荷台Ｎを平面視でコ字形状に囲むようにして立設している。
【００２３】
従って、図６に示すように、前記拡大荷台Ｎ上に、例えば、樹脂製で且つ前後方向に長い直方体形状の収穫容器Ｂを載せると、該収穫容器Ｂは、両側を左右一対の縦片９に挟まれ、且つ後方側Ｒを、係止部４３とに囲まれている。
その結果、例えば、収穫期の畑、果樹園、家庭菜園、あるいは花壇において、前記牽引枠２０を引いて移動しつつ、成育した野菜や果物などを上記収穫容器Ｂに順次収穫する際に、該収穫容器Ｂを拡大荷台Ｎから脱落させずに、比較的少ない労力によって効率良く収穫作業を行うことが可能となる。尚、上記収穫容器Ｂは、除草した雑草や不用意なゴミなどを回収するのに用いても良い。
【００２４】
図７（Ａ），（Ｂ）は、本農作業用キャリア１の不使用時において、コンパクトに薄く折り畳んで保管（格納）する機能に関する。
図７（Ａ）に示すように、前記拡大荷台Ｎを形成した状態において、先ず、前記摘み付きボルト３４を緩め、下端（地面ＧＬ）側に方向自在輪４６などを有する前記支え軸３５をパイプ３３から抜き出す。
次に、固定ネジ１６ａを後退させ、該ネジ１６ａと前記固定ヒンジ体１７とのロック状態を解除し、図７（Ａ）中の実線の湾曲した矢印で示すように、牽引枠２０をその後方側Ｒの基端部２１側との間に位置する前記可動ヒンジ体１６を回転中心として、後方側Ｒに向かって側面視で上向きの半円形状の軌跡を描くように、約１２０度〜約１４０度回転させる。
【００２５】
その結果、図７（Ｂ）に示すように、前記牽引枠２０は、前記荷台Ｎを形成していた荷台枠２、荷囲い枠１２、および各旋回枠１０の上方に接近した姿勢となる。かかる状態で、牽引枠２０が荷囲い枠１２などから離れないように、該荷囲い枠１２に取り付けた図示しないロック板など（拘束手段）により、例えば、牽引枠２０の長側枠２２の位置と荷囲い枠１２の側枠１５との位置を互いに固定（拘束）する。尚、上記拘束手段には、例えば、全体がＳ字形状またはＵ字形状で且つ別体の金具などを適用しても良い。
そして、上記のように、牽引枠２０、荷台枠２、荷囲い枠１２、および各旋回枠１０を互いに接近させ且つ拘束した状態で、図７（Ｂ）に示すように、前記固定ヒンジ体１７と一対の補助脚１９とを地面ＧＬ上に接地させて、前記一対の車輪Ｗを壁面ＷＬに接触させる。その結果、不使用時における本農作業用キャリア１全体を、薄くコンパクトに折り畳めるので、納屋や物置などの屋内の狭いスペースであっても容易に且つ安定して保管が可能となる。
【００２６】
図８は、前記形態とは細部の形態が異なる農作業用キャリア１を示す前記図４と同様な側面図である。
係る形態の農作業用キャリア１では、図８に示すように、前記ヒンジ体１６，１７に替えて、荷台枠２の前枠３に図示の前後方向に沿って間隔を置いて、一対のスリーブ（軸受）１６´を回転可能に取り付け、該スリーブ１６´ごとに前記一対の長側枠２２と一体とした基端部２１を個別に固定すると共に、該基端部２１ごとの付近に下端に補助脚１９を有する前記軸１８を個別に固定している。
前記同様にして、掛止部３０の摘み付きボルト３２を後退させ、係止枠４０の係止部４３のロック状態を解除する。次に、図９中の実線の矢印で示すように、係止枠４０における一対の旋回枠４２における後方側Ｒの前記スリーブ４１を回転中心として、片手で当該係止枠４０を後方側Ｒで且つ斜め上方に持ち上げる。
【００２７】
かかる状態で、上側の荷囲い枠１２の適所を残りの片手で掴み、図９中の一点鎖線の矢印で示すように、前後左右一対の旋回枠１０を、これらの下端に位置する荷台枠２側の各軸受１１を回転中心として回転させることにより、上記荷囲い枠１２を水平姿勢のまま後方側Ｒで且つ斜め下方に平行移動させる。
その結果、図１０に示すように、前記荷囲い枠１２は、荷台枠２よりも後方側Ｒで且つ該荷台枠２とほぼ平行な水平状の姿勢となる。
更に、図１０中の破線で示す前記係止枠４０を、同図中の破線の矢印で示すように、前記スリーブ４１を回転中心として、後方側Ｒで且つ下向きに回転させる。その結果、図１０に示すように、ほぼ同じの水平面付近に位置する荷台枠２および荷囲い枠１２の上方に跨って、平面視が長方形状を呈し且つ前後方向（Ｆ・Ｒ）に沿った前記同様の拡大荷台Ｎが形成される。
尚、図１０と次の図１１では、前記軸１８および補助脚１９を省略している。
【００２８】
図１１（Ａ），（Ｂ）は、前記形態の農作業用キャリア１の不使用時における保管（格納）する機能を示す。
図１１（Ａ）に示すように、前記拡大荷台Ｎを形成した状態において、前記同様に、方向自在輪４６などを有する前記支え軸３５をパイプ３３から抜き出す。
次に、図１１（Ａ）中の実線の湾曲した矢印で示すように、前記スリーブ１６´を回転中心として、牽引枠２０を後方側Ｒに向かって側面視で上向きの半円形状の軌跡を描くように、約１２０度〜約１４０度回転させる。その結果、図１１（Ｂ）に示すように、牽引枠２０は、前記荷台Ｎを形成していた荷台枠２、荷囲い枠１２、および各旋回枠１０の上方に接近した前記同様の姿勢となる。
更に、前記同様に、牽引枠２０、荷台枠２、荷囲い枠１２、および各旋回枠１０とを互いに接近し且つ拘束した状態で、図１１（Ｂ）に示すように、前記スリーブ１６´を地面ＧＬ上に接地させて、前記一対の車輪Ｗを壁面ＷＬに接触させることにより、農作業用キャリア１全体を薄くコンパクトに折り畳むことができる。
【００２９】
以上において説明した各形態の農作業用キャリア１によれば、前述した効果（１）〜（６）の全てを確実に奏することができる。
即ち、各種の農作業を少ない労力で効率良く行うことができ、且つ各種サイズの薬液タンクＴや収穫容器Ｂなどを汚すことなく容易に積載し且つ運搬できると共に、不使用時には薄くコンパクトに折り畳んで保管することも可能である。
尚、本農作業用キャリア１は、前記パイプ３３から支え軸３５を抜き出し、該支え軸３５、平板３７、傾斜輪４９などを取り外した状態で、２輪車として使用することも可能である。
【００３０】
本考案は、以上において説明した形態に限定されるものではない。
例えば、前記荷台枠２、荷囲い枠１２、旋回枠１０、および牽引枠２０などは、エンジニアリングプラスチックなどの硬質樹脂の枠材により形成しても良い。
また、前記荷台枠２の前枠３における中央部で、且つ前記スリーブ１６，１６間と前記旋回枠４２，４２の間に、上向きの前面荷板（枠）を直立させても良い。
更に、前記荷受桟５ａは、３本以上を固着しても良い。
また、前記荷台板６は、上記同様の硬質樹脂からなる射出成形材としても良い。
更に、上記荷台板６の上面には、前記荷受パッド５ｂの最上部と同じ高さとなる前記同様のパッドを貼り付けても良い。
また、上記荷台板６は、前記薬液タンクＴを背負うためのベルトを架け渡すために用いても良い。
加えて、前記牽引枠２０、荷台枠２、および一対の車輪Ｗ付近には、前記特許文献１に記載されたブレーキ機構を付設するようにしても良い。
【産業上の利用可能性】
【００３１】
本考案によれば、各種の農作業に用いられ、各種サイズの薬液タンクなどを汚しにくくして積載できると共に、不使用時には全体を薄く且つコンパクトに折り畳める農作業用キャリアを確実に提供できる。
【符号の説明】
【００３２】
１……………農作業用キャリア、          ２……………荷台枠、
３，１３……前枠、                      ４，１４……後枠、
５，１５……側枠、                      ６……………荷台板、
７……………泥除け、                    ８……………上片、
９……………側片、                      １０…………旋回枠、
１１，１６…軸受、                      １２…………荷囲い枠、
１６・１７…ヒンジ体（軸受）、          １６´スリーブ（軸受）、
２０…………牽引枠、                    ２１…………基端部、
２２…………長側枠、                    ２４…………掴み枠、
２６…………水平枠、                    ４０…………係止枠、
４３…………係止部、                    Ｗ……………車輪、
ｐ……………軸ピン、                    Ｆ……………前方側、
Ｒ……………後方側、                    Ｎ……………拡大荷台
【図１】
0003195677.tif 000003
【図２】
0003195677.tif 000004
【図３】
0003195677.tif 000005
【図４】
0003195677.tif 000006
【図５】
0003195677.tif 000007
【図６】
0003195677.tif 000008
【図７】
0003195677.tif 000009
【図８】
0003195677.tif 000010
【図９】
0003195677.tif 000011
【図１０】
0003195677.tif 000012
【図１１】
0003195677.tif 000013